(57)【要約】【課題】間隙を隔てて隣接する両建物躯体に対しホルダを遊動状態に支持させて、両建物躯体の変位に対応でき、ホルダやカバー材に影響することなく美観と密閉性の長期保持を可能とする。【解決手段】ホルダ７の両側に長孔又は長溝１９を形成し、両側の支持部材５、６には回動可能な保持部材１２を取り付けて第１の変位調整部とし、一方の保持部材を上記一方の長孔又は長溝１９に摺動可能に取り付けて第２変位調整部とし、他方の保持部材を上記ホルダ７の他方の長孔又は長溝１９に摺動可能に取り付けて第３の変位調整部とするとともに、上記ホルダ７の中央部には凸部２２を形成し、この凸部２２に上記カバー材８を固定することにより、上記ホルダの凸部２２の第２変位調整部側とカバー材８との間に空間を形成し、この空間内に上記保持部材をホルダに固定する止め具１６の頭部を配置した。【選択図】図１
2005264725.tif 000002
【特許請求の範囲】
【請求項１】
間隙を隔て、かつ外部に露出する面が略面一となる建物躯体に、上記間隙を挟んで各建物躯体に支持部材を設け、両側の支持部材に上記間隙の長手方向に沿って一定の間隔をおいて配置されたホルダを介してカバー材を配したエキスパンションジョイントにおいて、
上記ホルダの両側に長孔又は長溝を形成し、両側の支持部材には回動可能な保持部材を取り付けて第１の変位調整部とし、一方の保持部材を上記一方の長孔又は長溝に摺動可能に取り付けて第２変位調整部とし、他方の保持部材を上記ホルダの他方の長孔又は長溝に摺動可能に取り付けて第３の変位調整部とするとともに、
上記ホルダの中央部には凸部を形成し、この凸部に上記カバー材を固定することにより、上記ホルダの凸部の第２変位調整部側とカバー材との間に空間を形成し、この空間内に上記保持部材をホルダに固定する止め具の頭部を配置した
ことを特徴とするエキスパンションジョイント。
【請求項２】
前記ホルダの裏面には、前記他方の保持部材の端部に係合する位置決め部を形成した、請求項１に記載のエキスパンションジョイント。
【請求項３】
前記カバー材の端部を屈曲させ、その先端を前記建物躯体の表面に当接させるとともに、上記屈曲部には前記ホルダの一方の端部を突合せた、請求項１に記載のエキスパンションジョイント。
【発明の詳細な説明】
【技術分野】
【０００１】
本発明は間隙を有して隣接する建物躯体にその変動を吸収し易い状態に装着されて間隙の良好な閉塞を行うエキスパンションジョインに関する。
【背景技術】
【０００２】
隣接する建物躯体の間隙を建物躯体の変動が吸収されるように閉塞させるエキスパンションジョイントとしては、特公平４−１０９３７号が知られていて、このエキスパンションジョインは、Ｌ字形をなす支持部材の固定側を一方の建物躯体に固定させ、可動部を他方の建物駆体の前へ延出させて、この部分に設けられる摺動溝に止め金具を嵌め、建物躯体に可動的に支持させるとともに、Ｌ字形をなすカバー材の一端を支持部材の固定側端に設けられる係合部へ掛け合わせ、中央部に設けられる係合縁を上記支持部材に形成される係止溝に係合させた構成を採用している。
【０００３】
前記のように支持部材の固定側にカバー材の一端を掛け止めた構成では、両方の躯体に上下方向の変動が生じた場合、支持部材はこの変動によって取付部を中心とする回転力を受けることになり、その変動対応が十分でなく、支持部材及びカバーが変形されるため、その体裁が損なわれるだけでなく、間隙の密閉性が低下して風雨の侵入防止機能を低下させる問題点がある。
【特許文献１】特公平４−１０９３７号公報
【発明の開示】
【発明が解決しようとする課題】
【０００４】
本発明は、間隙を隔てて隣接する両建物躯体に対しホルダを遊動状態に支持させて、両建物躯体の上下、左右及び前後方向にも変位可能としてホルダーやカバー材に影響しないようにして、美観と密閉性の長期保持が可能なるエキスパンションジョイントを提供することをその課題とする。
【課題を解決するための手段】
【０００５】
前記課題を解決するため、本発明に係るエキスパンションジョイントは、間隙を隔て、かつ外部に露出する面が略面一となる建物躯体に、上記間隙を挟んで各建物躯体に支持部材を設け、両側の支持部材に上記間隙の長手方向に沿って一定の間隔をおいて配置されたホルダを介してカバー材を配したエキスパンションジョイントにおいて、上記ホルダの両側に長孔又は長溝を形成し、両側の支持部材には回動可能な保持部材を取り付けて第１の変位調整部とし、一方の保持部材を上記一方の長孔又は長溝に摺動可能に取り付けて第２変位調整部とし、他方の保持部材を上記ホルダの他方の長孔又は長溝に摺動可能に取り付けて第３の変位調整部とするとともに、上記ホルダの中央部には凸部を形成し、この凸部に上記カバー材を固定することにより、上記ホルダの凸部の第２変位調整部側とカバー材との間に空間を形成し、この空間内に上記保持部材をホルダに固定する止め具の頭部を配置したことを特徴とする。
【０００６】
なお、前記ホルダの裏面には、前記他方の保持部材の端部に係合する位置決め部を形成してもよい。
【０００７】
さらに、前記カバー材の端部を屈曲させ、その先端を前記建物躯体の表面に当接させるとともに、上記屈曲部には前記ホルダの一方の端部を突合せるようにするのが好ましい。
【発明の効果】
【０００８】
請求項１によれば、面一状建物躯体の変動時も、支持部材とホルダとの間に回動及び摺動可能な保持部材による第１変位調整部、第２変位調整部及び第３変位調整部とにより建物躯体の変動が吸収され、カバー材をよく保護して、美観と風雨の防止機能を持続させることができる。
【０００９】
ホルダ中央部の凸部によりホルダとカバー材との間の空間でカバー材の微小な変動又は変形が吸収でき、また止め具のホルダの長孔又は長溝に沿う摺動が妨げられることがない。
【００１０】
請求項２によれば、位置決め部材を保持部材に当てると、ホルダと保持部材との位置合わせが簡単正確に行われて、施工取付時の位置決めを容易確実にすることができる。
【００１１】
請求項３によれば、カバー材の屈曲部が建物躯体へ当接されると、間隙への塵埃、風雨等の侵入が抑制され、また、屈曲部の内側へホルダの一端を当接させるようにすれば、各構成部材の位置決めが簡単に正確に行われて、施工取付の容易化に寄与する。
【発明を実施するための最良の形態】
【００１２】
図において符号１はエキスパンションジョイントを示す。このエキスパンションジョイント１は、入隅部を構成するように所定の間隙２を隔てて配置された一方の建物躯体３と、他方の建物躯体４とにそれぞれ取付けられる支持部材５及び６と、これら支持部材５及び６に支持させて上記間隙２の長手方向に適当な間隔で配置されるホルダ７と、このホルダ７に支持されて上記間隙２を遮蔽するカバー材８とにより構成される。
【００１３】
上記エキスパンションジョイント１の支持部材５及び６は、一方の建物躯体３と他方の建物躯体４との間隙２側ヘねじ９等により取付けられて、各々の間隙２へ臨む端部にそれぞれ挟持溝１０を設けられ、これら挟持溝１０に止水板１１の端縁を挟持させて間隙２に止水板１１を配置し、建物躯体１側の支持部材５の中央部にはホルダ７の保持部材１２を回動可能に支持させる欠円形の溝レール１３が設けられ、建物躯体２側の支持部材６の端部にはピン様の止め具１４が取付けられている。
【００１４】
支持部材５へ回動可能に支持される長尺の保持部材１２は、間隔保持片１２ａとその一端に直角に設けられた保持片１２ｂとからなり、間隔保持片１２の先端には円軸１５が設けられて、この円軸１５を溝レール１３へ係合させると保持部材１２が支持部材５へ回動可能に取付けられて第１変位調整部を構成している。また、保持片１２ｂはホルダ７の翼片７ａヘ裏側から当接支持され、この保持片１２ｂの表側にはビス付きピン様の止め具１６が摺動可能に取り付けられて第２の変位調整部を構成している。
【００１５】
ホルダ７は、２つの翼片７ａと７ｂとで形成されて、間隙２の長手方向に沿って一定の間隔で所要数を配置される。そして、一方の翼片７ａは左右方向の長孔または長溝１７が設けられて、この長孔または長溝１７に保持部材１２の保持片１２ｂに取付けられた頭付きでビスとナット締めのピン様止め具１６を摺動自在に係合して上記第２の変位調整部としている。なお、翼片７ａの端部にはカバー材８の折曲縁に当接させる位置決め部１８を曲成されている。また他方の翼片７ｂは上下方向の長孔または長溝１９を設けられて、この長孔または長溝１９頭付きでビスとナット締めされたピン様止め具１４が摺動自在に係合して第３の変位保持部が構成されている。このため、ホルダ７は入隅部の隅角部から接近又は離間方向に摺動可能となる。
【００１６】
カバー材８は、ホルダ７と同様に形成されて隙間２を覆う長さを有し、巾方向の両側に建物躯体３及び４側へ直角に曲がる折曲部８ａを形成されて、この折曲部８ａの先端２０に建物躯体３及び４と弾力的に接するウエザーストリップ２１等の密閉材が取付けられ、中央部をホルダ７の中央部に設けられた支持用凸部２２ヘねじ２３等により固定されて、カバー材８とホルダ７の間に空間２４を形成することにより、カバー材８との微小変形を吸収し、止め具１４、１６の頭の収納部を構成する。
【００１７】
図２におけるエキスパンションジョイント１は、保持部材１２が建物躯体３、４側の支持部材５、６に対して回動可能で、かつホルダ７の翼片７ａ、７ｂに対して摺動可能に取り付けられたもので、翼片７ｂは支持部材６へ回動可能に取付けられることにより、第４の変位調整部を構成している。
【００１８】
すなわち、建物躯体４に取付けられる支持部材６は端部に欠円状の溝レール１３を設けられたものを用い、この溝レール１３へ保持部材１２の間隔保持片１２ａに設けられた円軸１５を回動可能に係合させ、保持片１２ｂはホルダ７の翼片７ｂの裏側へ当接させ、表側には上述のものと同じ止め具１４を取付けて翼片７ｂに設けられた長孔１９へ係合させて摺動しないようにし、ホルダ７の翼片７ｂの裏側には保持片１２ｂの端縁に当てると長孔１９と止め具１４の取付孔２８が位置合わせされる位置決め片２９が設けられ、なお、ホルダ７の翼片７ｂの端末はカバー材８の折曲縁８ａへ突合せる位置決め部１８とし、他方の翼片７ａの端末はカバー材８の折曲縁８ａから離隔させてある。
【００１９】
上記構成によれば、第２変位調整部と第３変位調整部とにより、ホルダ７は建物躯体４、５の面に沿って入隅部の隅角部（ホルダ７の屈曲部分にほぼ対応する部位）から接近し、または離間する方向に摺動することができる。
【００２０】
図３は図２に示すエキスパンションジョイント１におけるホルダ７の建物躯体４側の翼片７ｂに設けられた位置決め片２９を除き、位置決め部１８によって位置決めする例である。
【００２１】
図１のエキスパンションジョイント１は、ほぼ面一をなすように所定の間隙２を隔てて配置された一方の建物躯体３と、他方の建物躯体４とにそれぞれ取付けられる支持部材５及び６と、これら支持部材５及び６に支持させて上記間隙２の長手方向に適当な間隔で配置されるホルダ７と、このホルダ７に支持されて上記間隙２を遮蔽するカバー材８とにより構成されている。
【００２２】
このエキスパンションジョイント１の支持部材５及び６は、建物躯体側に挟持溝１０を設けられて、この挟持溝１０に止水板１１の端縁を挟持させて間隙２に止水板１１を配置し、中央部には欠円状の溝レール１３を設けられ、間隙２とは反対側の端部をねじ等９により建物躯体３及び４へ固定される。
【００２３】
支持部材５へ回動可能に支持される保持部材１２は、間隔保持片１２ａとその一端に直角に設けられた保持片１２ｂとからなり、間隔保持片１２の先端には円軸１５が設けられて、この円軸１５を溝レール１３へ係合させると保持部材１２が支持部材５へ回動可能に取付けられ、建物躯体３側は第１変位調整部、建物躯体４側は第４変位調整部として構成されている。これに対し、保持片１２ｂはホルダ７の翼片７ａ及び７ｂヘ裏側から当接されて、表側には上述のものと同じピン様止め具１４または１６が取付けられる。
【００２４】
ホルダ７は、２つの翼片７ａと７ｂが平面をなすよう形成されて、間隙２の長手方向に沿って一定の間隔で所要数を配置される。そして、一方の翼片７ａには左右方向の長孔また長溝１７が設けられて、この長孔または長溝１７に保持部材１２の保持片１２ｂに取付けられた止め具１６が摺動可能に係合されて第２変位調整部が構成され、翼片７ｂには円孔２７が設けられ、この円孔２７に保持部材１２の保持片１２ｂに取付けられた止め具１４が摺動しないように係合される。そして、翼片７ｂの裏側に保持片１２ｂへ当接させると円孔２７と止め具１４の取付孔２８とが位置合わせされる位置決め片２９が設けられ、翼片７ａの端末にはカバー材８の折曲縁８ａに当接する位置決め部１８が曲成されている。
【００２５】
カバー材８は、ホルダ７と同様平面をなすように形成されて隙間２を覆う長さを有し、巾方向の両側に建物躯体３及び４側へ直角に曲がる折曲部８ａが形成されて、この折曲部８ａの先端２０に建物躯体３及び建物躯体４と弾力的に接するウエザーストリップ２１等の密閉材が取付けられ、中央部はホルダ７の中央部に設けられた凸部２２ヘねじ２３等により固定されて、カバー材８とホルダ７の間に空間２４を形成することにより、カバー材８との微小変形を吸収し、止め具１４、１６の頭の収納部を構成する。
【００２６】
図２は図１に示すエキスパンションジョイント１におけるホルダー７の建物躯体４側の翼片７ｂに設けられた長孔を左右方向の長孔または長溝１９とした態様を示す。この態様は長孔または長溝１９に保持部材１２の保持片１２ｂに取付けられた頭付きのピン様止め具１４を係合させ、この止め具１４を摺動可能とするために翼片７ｂの裏側の位置決め部２９をなくし、端末に下方への折曲部３２を形成してある。
【００２７】
図３及び図４は、図２に示すエキスパンションジョイントＡにおけるホルダ７の形状をＣ形断面に変更した態様を示す。この態様はホルダ７の断面形状を図４のように上側へ開口するＣ形として、両翼片７ａ及び７ｂの底片にそれぞれ長孔または長溝１７及び１９を形成してある。さらに、凸部２２は底片より切起こし状にカシメ加工し、両翼片の上端面と同一位置にし、カバー材のネジ２３を固定している。
【００２８】
なお、図示していないが、支持部材５、６の溝レール１３を保持部材１２の先端の円軸１５に代え、支持部材の上向き円軸１５´と保持部材の下端に溝レール１３´に形成してもよい。
【図面の簡単な説明】
【００２９】
【図１】請求項１記載のエキスパンションジョイントの断面図
【図２】同上の一部の変形態様を示す部分断面図
【図３】同上のホルダの変形態様を示す平面図。
【図４】同上ホルダの横断面図
【符号の説明】
【００３０】
１  エキスパンションジョイント
２  間隙
３、４  建物躯体
５、６  支持部材
７  ホルダ
７ａ、７ｂ  両翼片
１２  保持部材
１４、１６  止め具
１７、１９  長孔または長溝
２５  空間
１８、２９  位置決め部
【図１】
2005264725.tif 000003
【図２】
2005264725.tif 000004
【図３】
2005264725.tif 000005
【図４】
2005264725.tif 000006